(57)【特許請求の範囲】
【請求項１】
入金貨幣を受入れて１枚ずつ繰込む入金繰込み部と、
この入金繰込み部から繰込まれた貨幣を識別する入金識別部と、
この入金識別部で入金可と識別されたすべての貨幣を一括して一時保留するとともにその一時保留貨幣を１枚ずつ繰出すことができる一括一時保留部と、
貨幣を金種別に収納するとともに１枚ずつ繰出すことができる金種別収納部と、
前記入金繰込み部から前記入金識別部を経由して前記一括一時保留部および前記金種別収納部の各入口部へ貨幣を搬送する入金搬送路と、
前記一括一時保留部から返却される返却貨幣および前記金種別収納部から繰出される出金貨幣を外部から取出し可能に保持する出金部と、
前記金種別収納部の各出口部から前記出金部へ貨幣を搬送する出金搬送路と、
販売額、振込額等の必要入金額を決定する必要入金額決定手段と、
前記一括一時保留部に一時保留された貨幣の金額に対し入金承認指示または返却指示を行う承認手段と、
前記入金識別部による識別、前記必要入金額決定手段による決定、および前記承認手段による指示に基づいて、前記入金繰込み部、前記一括一時保留部、前記金種別収納部、前記入金搬送路、前記出金部、および前記出金搬送路を制御する制御手段と、
を備え、
前記制御手段は、
前記入金繰込み部により貨幣を繰込んで前記入金識別部により識別し、入金可能な入金貨幣のみを前記一括一時保留部に一時保留する入金保留処理と、
この入金保留処理により前記一括一時保留部に一時保留された前記入金貨幣の金額である保留入金額と、前記必要入金額決定手段により予め決定された前記必要入金額との比較に基づく必要な釣貨幣を、前記金種別収納部から繰出して前記出金搬送路により前記出金部へ搬送する出金処理と、
前記一括一時保留部に保留されている前記入金貨幣を１枚ずつ繰出して前記入金搬送路により前記金種別収納部へ搬送して収納する入金収納処理と、
の一連の１取引に係る処理を行う際、
前記入金保留処理を行った後、前記承認手段により前記保留入金額に対する入金承認指示がなされた場合に、前記出金処理と前記入金収納処理とを並行して行う制御を実行するように構成されていることを特徴とする貨幣入出金処理システム。
【請求項２】
前記入金繰込み部、前記入金識別部、前記一括一時保留部、前記金種別収納部、前記入金搬送路、前記出金部、および前記出金搬送路を有する貨幣入出金装置を備え、
この貨幣入出金装置が紙幣入出金装置と硬貨入出金装置とで構成されている請求項１記載の貨幣入出金処理システム。
【請求項３】
入金貨幣を受入れて１枚ずつ繰込む入金繰込み部と、
この入金繰込み部から繰込まれた貨幣を識別する入金識別部と、
この入金識別部で入金可と識別されたすべての貨幣を一括して一時保留するとともにその一時保留貨幣を１枚ずつ繰出すことができる一括一時保留部と、
貨幣を金種別に収納するとともに１枚ずつ繰出すことができる金種別収納部と、
前記入金繰込み部から前記入金識別部を経由して前記一括一時保留部および前記金種別収納部の各入口部へ貨幣を搬送する入金搬送路と、
前記一括一時保留部から返却される返却貨幣および前記金種別収納部から繰出される出金貨幣を外部から取出し可能に保持する出金部と、
前記金種別収納部の各出口部から前記出金部へ貨幣を搬送する出金搬送路と、
販売額、振込額等の必要入金額を決定する必要入金額決定手段と、
前記一括一時保留部に一時保留された貨幣の金額に対し入金承認指示または返却指示を行う承認手段と、
前記入金識別部による識別、前記必要入金額決定手段による決定、および前記承認手段による指示に基づいて、前記入金繰込み部、前記一括一時保留部、前記金種別収納部、前記入金搬送路、前記出金部、および前記出金搬送路を制御する制御手段と、
を備え、
前記制御手段は、
前記入金繰込み部により貨幣を繰込んで前記入金識別部により識別し、入金可能な貨幣のみを前記一括一時保留部に一時保留する入金処理を行った後、前記承認手段により入金承認指示がなされた場合に前記金種別収納部から必要な釣貨幣を繰出して前記出金搬送路により前記出金部へ搬送する出金処理を行うのと並行して前記一括一時保留部に保留されている貨幣を１枚ずつ繰出して前記入金搬送路により前記金種別収納部へ搬送して収納する収納処理を行う制御を実行するように構成されており、
前記入金繰込み部、前記入金識別部、前記一括一時保留部、前記金種別収納部、前記入金搬送路、前記出金部、および前記出金搬送路を有する貨幣入出金装置を具備し、
この貨幣入出金装置が紙幣入出金装置と硬貨入出金装置とで構成されており、
前記紙幣入出金処理装置の一括一時保留部および金種別収納部の入口部と出口部とを共通な構成とし、かつ入金搬送路の一部と出金搬送路の一部とを共通化してその共通搬送路部分の手前に一括一時保留部を配置するとともに共通搬送路部分に金種別収納部を金種の大きい順に配設し、前記一括一時保留部に保留された紙幣の金種より釣銭として出金する出金紙幣の金種の方が低額金種であることを確認する金種確認手段を付設し、前記制御手段は前記金種確認手段が出金紙幣の金種の方が低額金種であることを確認した場合に出金処理と収納処理とを並行して行なわせ、出金紙幣の金種の方が高額金種であることを確認した場合に出金処理と収納処理の何れか一方を行なった後に他方を行なわせるように構成されていることを特徴とする貨幣入出金処理システム。
【発明の詳細な説明】
【０００１】
【発明の属する技術分野】
本発明は、金融機関や交通機関の窓口、あるいはスーパーマーケット等の精算所において紙幣や硬貨の入金処理および出金処理を行う貨幣入出金処理システムに関する。
【０００２】
【従来の技術】
金融機関や交通機関の窓口、あるいはスーパーマーケット等の精算所においては、紙幣や硬貨の入出金処理を機械的に自動処理するような貨幣入出金処理システムが導入されている。
【０００３】
上記貨幣入出金処理システムは、紙幣の入出金処理を行う紙幣入出金装置と、硬貨の入出金処理を行う硬貨入出金装置と、販売額や振込額等の金額を登録するとともに紙幣入出金装置および硬貨入出金装置に対して入出金処理を行わせる金銭登録機とで構成され、この金銭登録機はスーパーマーケット等の精算所においてはＰＯＳレジスタがその機能を持ち、また金融機関や交通機関の窓口においてはテラーズマシンがその機能を持つようになされている。
【０００４】
前記紙幣入出金装置および硬貨入出金装置は、一般に入金貨幣を受入れて１枚ずつ繰込む入金繰込み部と、繰込まれた貨幣を搬送しつつ識別する入金識別部と、この識別部で入金可と識別された貨幣を金種別に収納するとともに１枚ずつ繰出すことができる金種別収納部と、この金種別収納部から繰出された貨幣を外部から取出し可能に投出する出金部とを少くとも有しており、入金貨幣の一時保留部については装置の運用仕様に応じ設けられる場合と設けられない場合とがある。
【０００５】
すなわちスーパーマーケット等の精算所で使用される場合は、顧客から預った貨幣を、釣銭を支払って顧客が承認するまでの取引終了まで顧客から見える位置に一時保管しておくという運用が多く、このような運用の場合にはその保管位置が一時保留部として機能し、貨幣の入金時には返却の必要がなくなるため装置内には入金貨幣の一時保留部を設けずに入金貨幣を金種別収納部へ直接収納するようになされている。
【０００６】
他方、金融機関等の窓口で使用される場合は、入金される貨幣の量が多いこともあって、入金貨幣を装置内で識別・計数して入金額を確認し、その金額が承認されれば金種別収納部へ分類収納し、承認されないときは返却するようになっており、そのため装置内には必ず入金貨幣の一時保留部が設けられていた。
【０００７】
【発明が解決しようとする課題】
しかるに装置内に一時保留部を有しない貨幣入出金装置の場合は、顧客から預った貨幣を係員が確認して入金額をキー入力し、そのキー入力された入金額に応じて釣貨幣を投出させるため、預り額が多い場合や偽造貨幣が使用された場合に間違いを起こす可能性があるという問題点があった。
【０００８】
一方、金融機関等の窓口で使用される貨幣入出金装置は、入金処理と出金処理とが独立して行われる場合が多い。つまり或る顧客に対して入金処理を行った後に別の顧客に対し出金処理を行うというように、入金処理と出金処理とが無関係である場合が多く、そのため入金処理において一時保留された貨幣は入金承認がなされると直ちに一時保留貨幣を金種別収納部へ収納するようになされている。それ故、上記のような一時保留部を備える貨幣入出金装置により振込み処理のように振込額がキー入力されてその振込額以上の貨幣が入金されその振込額と入金額との差額を釣銭として出金するような入金処理と出金処理とを一連の一取引として行う場合には、入金承認がなされて入金額が確定したにも拘らず貨幣の収納が完了し終らなければ釣銭の出金ができず、顧客への釣銭の手渡しが遅くなり、それだけ顧客を待たせることになると同時に、一人の顧客に係わる対応時間が長くなることから混雑時に渋滞するという問題点があった。
【０００９】
【課題を解決するための手段】
本発明は上記の点に鑑み、入金貨幣を機械的に識別して入金額を確定するとともに、入金額が確定した時点で直ちに釣貨幣の投出と一時保留貨幣の収納とを行わせ、これにより顧客の待時間の大幅な短縮および１取引の処理時間の短縮を図ることを課題としてなされたものである。
【００１０】
上記課題を解決する手段として、本発明は、入金貨幣を受入れて１枚ずつ繰込む入金繰込み部と、この入金繰込み部から繰込まれた貨幣を識別する入金識別部と、この入金識別部で入金可と識別されたすべての貨幣を一括して一時保留するとともにその一時保留貨幣を１枚ずつ繰出すことができる一括一時保留部と、貨幣を金種別に収納するとともに１枚ずつ繰出すことができる金種別収納部と、前記入金繰込み部から前記入金識別部を経由して前記一括一時保留部および前記金種別収納部の各入口部へ貨幣を搬送する入金搬送路と、前記一括一時保留部から返却される返却貨幣および前記金種別収納部から繰出される出金貨幣を外部から取出し可能に保持する出金部と、前記金種別収納部の各出口部から前記出金部へ貨幣を搬送する出金搬送路と、販売額、振込額等の必要入金額を決定する必要入金額決定手段と、前記一括一時保留部に一時保留された貨幣の金額に対し入金承認指示または返却指示を行う承認手段と、前記入金識別部による識別、前記必要入金額決定手段による決定、および前記承認手段による指示に基づいて、前記入金繰込み部、前記一括一時保留部、前記金種別収納部、前記入金搬送路、前記出金部、および前記出金搬送路を制御する制御手段とを備え、前記制御手段は、前記入金繰込み部により貨幣を繰込んで前記入金識別部により識別し、入金可能な入金貨幣のみを前記一括一時保留部に一時保留する入金保留処理と、この入金保留処理により前記一括一時保留部に一時保留された前記入金貨幣の金額である保留入金額と、前記必要入金額決定手段により予め決定された前記必要入金額との比較に基づく必要な釣貨幣を、前記金種別収納部から繰出して前記出金搬送路により前記出金部へ搬送する出金処理と、前記一括一時保留部に保留されている前記入金貨幣を１枚ずつ繰出して前記入金搬送路により前記金種別収納部へ搬送して収納する入金収納処理との一連の１取引に係る処理を行う際、前記入金保留処理を行った後、前記承認手段により前記保留入金額に対する入金承認指示がなされた場合に、前記出金処理と前記入金収納処理とを並行して行う制御を実行するように構成されていることを特徴とする貨幣入出金処理システムである。
【００１２】
なお前記入金繰込み部、前記入金識別部、前記一括一時保留部、前記金種別収納部、前記入金搬送路、前記出金部、および前記出金搬送路を有する貨幣入出金装置を備え、この貨幣入出金装置が紙幣入出金装置と硬貨入出金装置とで構成されていることが好ましい。
【００１３】
また、前記紙幣入出金装置は、その一括一時保留部および金種別収納部の入口部と出口部とを共通な構成とし、かつ入金搬送路の一部と出金搬送路の一部とを共通化してその共通搬送路部分の手前に一括一時保留部を配置するとともに共通搬送路部分に金種別収納部を金種の大きい順に配設し、前記一括一時保留部に保留された紙幣の金種より釣銭として出金する出金紙幣の金種の方が低額金種であることを確認する金種確認手段を付設し、前記制御手段は前記金種確認手段が出金紙幣の金種の方が低額金種であることを確認した場合に出金処理と収納処理とを並行して行なわせ、出金紙幣の金種の方が高額金種であることを確認した場合に出金処理と収納処理の何れか一方を行なった後に他方を行なわせるように構成することができる。
【００１４】
【発明の実施の形態】
以下、本発明を図面に示す実施の形態を参照して説明する。
図１は本発明による貨幣入出金処理システムを備えた貨幣入出金装置の一実施形態の外観を示し、図２はそのうちの紙幣入出金装置１の略示断面を、図４は紙幣入出金装置１および硬貨入出金装置２の各貨幣の流れを模式的に示しており、これら入出金装置１，２を装置本体３内に並列に組込んだ場合を例示している。
装置本体３の紙幣入出金装置１側の前面上部には、紙幣の入金口４、その下方位置に紙幣の出金口５が設けられ、上記入金口４の周辺に入力用操作キー群６、表示部７等からなる操作部８が配設され、硬貨入出金装置２側の装置本体３の前面上部には、硬貨の入金口９、その下方に釣銭硬貨またはリジェクト貨の出金口１０等がそれぞれ配設された形態とされており、これら入出金装置１，２は金銭登録機１１に接続されて入出金管理される。
【００１５】
なお装置本体３の前面には前扉１２が横開き状に取付けられ、キー孔１３にキーを挿入して開閉操作されるようになっており、また上記金銭登録機１１はカードリーダ１４を備え、使用者のＩＤカードを通して取扱責任を明確にするようになされている。
【００１６】
図２は上記紙幣入出金装置１の一実施形態の縦断側面視の概要図を示すもので、前記紙幣入金口４に続いて入金繰込み部１５が設けられている。この繰込み部１５は、紙幣を水平方向に搬送するベルト１６と、このベルト１６の上面に転接され紙幣を１枚ずつに分離する逆転ローラ１７と、上記搬送ベルト１６の上面上の紙幣の浮き上がりを防ぐため先端がバネ１８の付勢により奥側に向けて下降するよう枢支された押え板１９等で構成され、上記搬送ベルト１６の駆動は専用のモータＭ１により行われる。
【００１７】
前記搬送ベルト１６の後端に続いて入金紙幣の金種、正損等を識別して入金の可否を判定する入金識別部２０を有する識別搬送路２１が側面視コ字状を画くようにベルト群により構成されており、この識別搬送路２１の末端は紙幣入出金装置１の前後方向中央位置まで延び、ここから垂直方向に配設された入金搬送路２２に続いている。
【００１８】
上記入金搬送路２２の下端は装置本体３の底部近くで折り返されて該搬送路２２と平行して垂直方向上方に延びる出金搬送路２３に続いており、その折り返し部の直後の出金搬送路２３中に出金識別部２４が設けられている。この出金搬送路２３の上方は前記繰込み部１５と入金識別部２０との間の識別搬送路２１の一部を構成している。そしてこれら搬送系は専用のモータＭ２により駆動される。
前記紙幣入金口４の直下位置には紙幣出金部２５が、さらにその直下位置にはリジェクト箱２６が配設され、このリジェクト箱２６の下方位置には紙幣の回収カセット２７が前記前扉１２を開けて出し入れ可能に設けられている。
【００１９】
上記出金部２５は、前記出金口５の開口部上縁のレベルと略一致する位置が下部走行面とされ前後のプーリー間に張装されたベルト２８と、このベルト２８の直下位置にあって図示しないソレノイド等の駆動手段により駆動される昇降機構２９を介して水平姿勢のまま上下動する受板３０とを有し、上記出金部２５の入口側には上記受板３０上に送入される紙幣の後端をはたき落として受板３０上に良好に集積させるための羽根車３１が設けられている。また上記受板３０の前後位置には、周面の一部が受板３０の上面から突出するようにローラ３２，３２が軸支されており、前記ベルト２８の駆動により紙幣がスムーズに出金口５へその一部が突出して取出し可能とされるようになっている。
【００２０】
前記リジェクト箱２６は、上面が開放されたトレイ状の収納カセットからなっており、装置本体３の前扉１２を開けることにより外部に引出せるようになっている。
【００２１】
上記リジェクト箱２６の入口部には、前記出金部２５のベルト２８の入口側端部位置から切換爪３３の切換えによって該出金部２５の紙幣を逆送して導くためのベルト３４，３５が設けられており、出金紙幣のリジェクト時にその紙幣をリジェクト箱２６内に収納することができるように構成されている。上記出金部２５のベルト２８、羽根車３１等は専用のモータＭ３により駆動される。
【００２２】
前記入金搬送路２２に対し装置本体３の奥側には、紙幣の収納および１枚ずつの繰出しができる一括一時保留部３６を最上位置とし、その下方に金額の大きい順に金種別収納部３７（万円紙幣用）、３８（５千円紙幣用）、３９（千円紙幣用）が配設されており、上記一括一時保留部３６の紙幣の入出に共用される入出口部４０は前記出金部２５の紙幣入口部４１に前記入金搬送路２２および出金搬送路２３を間にして互いに正対する位置とされている。
【００２３】
上記一括一時保留部３６および各金種別収納部３７，３８，３９は同じ構成を有するので、その一つ（一括一時保留部３６）を代表して概略を説明すると、筐体４２内の略中央位置に正逆回転自在で周面に紙幣が巻付けられる単一の回転ドラム４３が軸支され、この回転ドラム４３の周縁に２種のテープ４４，４５が共に巻付けられ、これらテープのうち一方のテープ４４は筐体４２の入出口部４０の内側上部に位置するプーリ４６、中間プーリー４７を経由して巻取軸４８に巻付けられ、他方のテープ４５は前記入出口部４０の内側下部に位置するプーリー４９、中間プーリー５０を経由して別の巻取軸５１に巻付けられている。そして各部は専用のモータＭ４により正逆駆動される。
【００２４】
したがって紙幣を収納するときは、回転ドラム４３が正転（図２において矢印方向に回転）して入出口部４０から送入される紙幣をテープ４４，４５間に挟み込み、回転ドラム４３の周面に順次巻付けて収納し、紙幣を繰出すときは回転ドラム４３が逆転駆動（矢印とは反対方向に回転）してテープ４４，４５間に挟持されていた紙幣をプーリー４６，４９間から入出口部４０へ送出するようになっている。
【００２５】
前記入出口部４０の直近の内、外位置には紙幣の入出を検知するセンサＳ，Ｓが通路を挟んで配設され、その下方位置の筐体４２にはコネクタ５２が設けられており、機体３側のコネクタ５３と接続されている。
【００２６】
上記一括一時保留部３６、金種別収納部３７，３８，３９はいずれも専用のモータＭ４，Ｍ５，Ｍ６，Ｍ７、センサＳ、およびこれらの制御部を備えた独立したユニット構成とされており、したがって前記のコネクタ５２，５３により接続することにより他のユニットと自由に変換が可能とされている。また前述の入金繰込み部１５、紙幣出金部２５、回収カセット２７もユニット化されており、前記と同様にコネクタ５４，５５，５６と機体３側のコネクタ５７，５８，５９とにより接続されている。
【００２７】
前記回収カセット２７は収納専用とした場合を示しており、上部一側に入口部６０が開口され、その内部には上下対をなすベルト６１，６２が設けられ、上部のベルト６１の内端のプーリー軸には周面が歯車状の凹凸面とされたギザローラ６３が設けられている。またこのギザローラ６３の下方位置にはドラム６４の周面接線方向に可撓性のある材料製の多数の羽根６５，６５…を有する羽根車６６が図２において時計方向に回転自在に設けられ、この羽根６５，６５間に紙幣を受入れて反転させ、下方へ放出して回収カセット２７内に集積するようになっており、羽根６５，６５間に紙幣を受入れた際に紙幣の後端がカールしているような場合には前記ギザローラ６３の周面の凹凸によってその紙幣の後端を押し上げ、次位の紙幣の先端を羽根６５，６５間に確実に受取らせるようになっている。上記ベルト６１，６２、羽根車６６等は専用のモータＭ８により駆動される。またこの回収カセット２７は収納専用であるが、繰出し機構を備えて収納・繰出しの双方を行うようにしたものを用いるようにすることも可能である。なお図２においてＰは収納された紙幣を示す。
【００２８】
前記一括一時保留部３６、金種別収納部３７，３８，３９の各入出口部４０，４０…および回収カセット２７の入口部６０には、入金搬送路２２および出金搬送路２３に連通、非連通とする切換機構６７がそれぞれ設けられている。
【００２９】
上記切換機構６７は上記各部において同じ構成を有するので、入金搬送路２２側の一つを図３に示す拡大図により説明すると、入出口部４０の外面側の上下部に位置するプーリー６８，６９と、入金搬送路２２を構成するよう各収納部３６，３７，３８，３９にわたって延びるベルト７０に対設され前記プーリー６８，６９間の間隔より大きい間隔をおいて配設されたプーリー７１，７２とに前記ベルト７０に対置されるベルト７３，７４が巻回され、これらベルト７３，７４の前記プーリー６８，７１および６９，７２間の走行部の間には三角形状の空間部７５が形成されており、プーリー６８，６９に近い位置のベルト７３，７４間には両ベルト７３，７４に接する中間プーリー７６が配設されている。
【００３０】
上記中間プーリー７６の軸７７上には切換爪７８が設けられており、また前記プーリー７１の直下位置の前記空間部７５内には別の切換爪７９が軸８０により支持して設けられている。
【００３１】
前記切換爪７８は、バネ８１による弱い付勢によりその先端７８ａが図３の実線図示のように紙幣送入路側に偏倚されており、紙幣送出路側は常時開放状態を保つようになっている。したがって紙幣が送入される場合はその紙幣自身が切換爪７８の先端７８ａをバネ付勢に抗し押しのけて進入することになり、出金時には矢印口のように通過することができる。
【００３２】
他方の切換爪７９は、ソレノイド８２により切換動作されるもので、詳細は図示を省略しているが、紙幣の送入時にはソレノイド８２が励磁されて伝達機構８３を通じ切換爪７９の先端７９ａが図３の鎖線図示のようにベルト７３から離間して紙幣を送入路側へ矢印イのように導き、解磁時には実線図示の位置へ復帰して入金搬送路２２を搬送される紙幣を直進させるようになっている。図３において８４，８５はガイド部材を示す。なお上記切換機構６７は図３の例に限られるものではなく、要すれば紙幣の通路を切換え得るものであれば他の構成によるものであってもよい。
【００３３】
前記出金部２５と一括一時保留部３６とが向き合う位置の入金搬送路２２と出金搬送路２３との間にはプーリー８６が設けられ、このプーリー８６の下部位置に入金搬送路２２と出金搬送路２３とを連通させることのできる切換爪８７が軸８８により揺動可能に設けられ、この切換爪８７が入金搬送路２２に交差したとき入金搬送路２２から出金部２５の直前位置の出金搬送路２３へ直接通じる返却搬送路８９が形成されるようになっている。この切換爪８７の切換は図示しないソレノイド等により一括一時保留紙幣の一括返却指令および入金時の入金リジェクト紙幣のリジェクト箱への収納指令に基づいて行われる。その直上方の出金部２５の入口部４１に対応する位置には切換爪４１ａが設けられており、出金時に切換って出金搬送路２３と出金部２５とが連通される。
【００３４】
制御部９０は、前記一括一時保留部３６で保留される紙幣の金種と順番とを記憶する記憶部９１を有し、前記一括一時保留部３６の紙幣を前記金種別収納部３７〜３９へ収納するとき前記記憶部９１に記憶された金種と順番とに応じて紙幣を対応する金種別収納部へ収納させる制御を行う。
【００３５】
図２において△印は各部に設けられて紙幣の通過を検知し、所定の信号を得るためのセンサを示す。
【００３６】
硬貨入出金装置２は、基本的な構成は上記紙幣入出金装置１と同様であるのでその構成については略示するために留めるが、その概略を説明すると、回転円盤方式等による入金繰込み部１００に投入された硬貨は入金識別部１０１において金種、真偽、正損等が識別され、入金可と判断された硬貨は硬貨通路からなる一括一時保留部１０２へ順番に１列状態に一時保留される。
【００３７】
収納の場合は、外径の小さい順に並ぶ金種別収納部１０３（１円用、５円用、５０円用、１００円用、１０円用、５００円用の順）へ搬送路１０４を通じて金種別に収納され、余剰の場合は収納部１０３から出金して回収カセット１０５へ収納される。
【００３８】
出金の場合は搬送路１０６を通じて出金部（出金口１０）へ出金される。また一括一時保留部１０２からの返却時には搬送路１０７を通じて出金部へ投出され、入金時のリジェクト貨も搬送路１０７を通じて出金部１０へ投出される。１０８は硬貨入出金装置２の制御部を示す。
【００３９】
前記金銭登録機１１は、前述したカードリーダ１４の他に、テンキーをはじめ入金・出金・返却・承認等の各種項目キーを有する操作部１１０と、金額や状態を表示する表示部１１１と、前記操作部１１０で入力された操作に基づいて販売額や振込額等の必要入金額を登録するとともに、貨幣入出金装置（紙幣入出金装置１および貨幣入出金装置２）の制御部９０，１０８に対して入金指令、釣銭の出金指令、収納指令、返却指令、回収指令等の各種指令を出す制御部１１２とを有している。この制御部１１２の制御内容としては、まず操作部１１０で入力された販売額や振込額等の金額に基づいて必要入金額を決定し、貨幣入出金装置に入金指令を出す。その入金指令に基づいて各貨幣入出金装置が入金繰込み部１５，１００の貨幣を繰込んで入金識別部２０，１０１により識別し、入金可能な貨幣のみを一括一時保留部３６，１０２に一時保留するととともに一時保留した貨幣の金種と金額を金銭登録機１１の制御部１１２へ送信する。制御部１１２はその金額を表示部１１１に表示して入金承認指示または返却指示を操作者に促す。
操作者が操作部１１０の承認キーによって入金承認指示を行なうと、制御部１１２は必要入金額と入金額とを比較し、釣銭がある場合にはさらに入金貨幣の金種と釣銭として出金する出金貨幣の金種とを比較し、出金貨幣の金種の方が低額金種である場合には、貨幣入出金装置に釣銭の出金指令と一時保留貨幣の収納指令を同時に出す。その指令を受けて貨幣入出金装置は必要な釣銭を金種別収納部から繰出して出金部２５，１０へ投出する出金処理と一括一時保留部３６，１０２に保留されている貨幣を金種別収納部３７，３８，３９，１０３へ収納する収納処理とを並行して行なう。
【００４０】
一方、入金貨幣の金種と釣銭として出金する出金貨幣の金種との比較の結果、出金貨幣の金種の方が高額金種あるいは同額金種である場合には、制御部１１２は貨幣入出金装置に釣銭の出金指令を出し、貨幣入出金装置が釣銭出金を完了して出金完了信号が送られてきた後に、制御部１１２は貨幣入出金装置に一時保留貨幣の収納指令を出す。その指令を受けて貨幣入出金装置は一括一時保留部３６，１０２に保留されている貨幣を金種別収納部３７，３８，３９，１０３へ収納する収納処理を行なう。
【００４１】
なお、釣銭の出金処理と一時保留貨幣の収納処理を並行して行なわない場合は、一時保留貨幣の収納処理を行なった後に、釣銭の出金処理を行なうようにしてもよい。
【００４２】
また、必要入金額と入金額の比較の結果、釣銭が無い場合は制御部１１２は入金承認指示後直ちに貨幣入出金装置に一時保留貨幣の収納指令を出し、一時保留紙幣の収納が行なわれる。
【００４３】
また、操作者が入金額に対して返却指示を行なった場合は、制御部１１２は貨幣入出金装置に返却指令を出し、貨幣入出金装置はその返却指令を受けて一括一時保留部３６，１０２に保留されている一時保留貨幣を出金部２５，１０へ返却する。
【００４４】
以上のように金銭登録機１１には販売額や振込額等の必要入金額を決定する必要入金額決定処理と、一時保留された貨幣の金額に対して入金承認指示または返却指示を行なう承認処理とを行なう機能、および一括一時保留部に保留された貨幣の金種より釣銭として出金する出金貨幣の金種の方が低額金種であることを確認する金種確認機能があり、必要入金額決定手段としては操作部１１０および制御部１１２がその機能を行ない、承認手段としては表示部１１１、操作部１１０および制御部１１２がその機能を行ない、金種確認手段としては制御部１１２がその機能を行なうようになっている。
【００４５】
次に上記貨幣入出金装置のうち紙幣入出金装置１の作用の態様を図５（Ａ）〜（Ｄ）を含んで説明する。
紙幣の入金に際しては、入金口４に入金しようとする紙幣を一括投入し、スタートボタンが押されると、入金繰込み部１５のベルト１６、ローラ１７がモータＭ１により、また搬送系（識別搬送路２１、入金搬送路２２、出金搬送路２３）はモータＭ２によりそれぞれ駆動され、入金繰込み部１５に投入された紙幣はベルト１６、ローラ１７により１枚ずつ繰込まれ、入金識別部２０により金種が識別され、その識別結果（金種）と繰込み順の順番を対応させて記憶部９１に記憶される。
【００４６】
一方、一括一時保留時には、一括一時保留部３６の入出口部４０の切換機構６７の切換爪７９がソレノイド８２の作動により図３の鎖線図示位置へ切換えられ、前記の繰込まれた紙幣は図３の矢印イの経路を辿って入出口部４０へ送り込まれ、モータＭ４により正転駆動する回転ドラム４３の周面にテープ４４，４５に挟まれた状態で巻付けられて収納される（図５（Ａ））。
【００４７】
上記入金に対し釣銭紙幣を要するときは、その釣銭紙幣が上記一括一時保留部３６に保留された紙幣より低額紙幣であることを金種確認手段が確認したときは、図５（Ｂ）のように釣銭紙幣を金種別収納部３８，３９から必要金額分出金部２５へ出金し、同時に一時保留紙幣を金種別収納部３７へ収納する。
【００４８】
この場合、入金して一時保留した紙幣が高額２金種であるときは、釣銭紙幣がそれより低額紙幣である場合に限り図５（Ｃ）のように金種別収納部３９から必要金額分出金部２５へ出金し、同時に一時保留紙幣を金種別収納部３７，３８へ分類収納する。
【００４９】
上記釣銭出金の流れは、切換機構６７の切換爪７８は常時開となっているので入金搬送路２２の下流から出金搬送路２３へ送られ、出金識別部２４を通って出金部２５へ送り込まれる。この出金部２５へ入った紙幣は受板３０上へ堆積され、所定の金額に達したとき昇降機構２９により受板３０が上昇し、紙幣の上面がベルト２８の下面に圧接され、モータＭ３によるベルト２８の正転回動により紙幣は出金口５へ掴める程度の長さ突出した状態で停止し、出金動作を完了する。
前記一括一時保留部３６に一括収納された紙幣の金種別収納部３７，３８，３９への流れは、その回転ドラム４３、テープ４４，４５を逆転駆動して１枚ずつ繰出し、その紙幣に該当する金種別収納部３７（１万円用）へ切換爪７９の切換えによって図３の矢印イのように送り込まれ、その内部の回転ドラム４３に巻取って収納される。なお一括一時保留紙幣の枚数が複数であるときは、その金種と収納順を記憶部９１が記憶しており、その記憶に基づいて金種別収納部３７〜３９へ分類して収納される。
【００５０】
なお、上記作用において、入金された紙幣の金種と釣銭紙幣とを比較して入金紙幣の金種より釣銭紙幣の金種の方が大きい場合（例えば７０００円の売上げに対し１２０００円の入金があり、５０００円の釣銭を出金する場合）には、釣銭紙幣を投出したのちに一時保留紙幣を金種別収納部へ収納させる。
【００５１】
さらに上記一括一時保留部３６に一括保留された紙幣を返却する場合は、切換爪８７が軸８８を支点として図２において反時計方向に揺動し、返却搬送路８９が開通して一括一時保留部３６から繰出される紙幣はこの返却搬送路８９を通って出金部２５の紙幣入口部４１の直近の出金搬送路２３へ送り込まれ、その入口部４１の切換爪４１ａの切換わりにより出金搬送路２３から出金部２５内へ出金識別部２４を通ることなく直接送入され、前記釣紙幣出金時と同様にして出金口５へ出金される（図５（Ｄ））。
【００５２】
また一時保留紙幣の返却時には、一括一時保留部３６から最短コースを辿って出金部２５へ戻すことができ、この際に短時間で返却することができるとともに、搬送路が短くしかもジャムが発生しやすい識別部を通らないので返却時にジャム等のトラブルの発生する確率も低くなる。
【００５３】
上記作用において、入金紙幣は識別して一括一時保留部３６に一括保留し、その保留額が金銭登録機１１の承認手段１１１により承認がなされれば直ちに釣銭投出に移行することができ、それとともに一括一時保留紙幣を金種別収納部３７〜３９へ収納するので接客中に紙幣の収納処理を並行して行うことができる。
【００５４】
【発明の効果】
以上説明したように本発明によれば、入金貨幣を入金識別後直ちに一括一時保留部に一括保留することができるので、入金承認までの処理時間が短くてすみ、また金銭登録機の必要入金額決定手段により決定された必要金額以上の入金処理が行われかつ承認手段により承認がなされれば釣銭の投出に合わせて一括一時保留貨幣の金種別収納部への分類収納処理を行うので顧客を待たせる時間が大幅に短縮されるとともに１取引きの処理時間が短縮され、窓口が混み合うときなどその効果はきわめて大きい。
【図面の簡単な説明】
【図１】本発明の一実施形態を示す外観図。
【図２】図１における紙幣入出金装置の一実施形態を示す略示縦断側面図。
【図３】図２における切換機構の拡大図。
【図４】図１に示した実施形態の内部を模式的に示す説明図。
【図５】（Ａ）〜（Ｄ）は図２の実施形態の作用を示し、（Ａ）は入金時、（Ｂ），（Ｃ）は釣銭出金および金種別分類収納時、（Ｄ）は返却時の説明図。
【符号の説明】
１  紙幣入出金装置
２  硬貨入出金装置
３  装置本体
４  紙幣入金口
５  紙幣出金口
９  硬貨入金口
１０  硬貨出金口
１１  金銭登録機
１５，１００  入金繰込み部
２０，１０１  入金識別部
２１  識別搬送路
２２  入金搬送路
２３  出金搬送路
２４  出金識別部
２５  紙幣出金部
２６  リジェクト箱
２７，１０５  回収カセット
３３，４０ａ，７８，７９，８７  切換爪
３６，１０２  一括一時保留部
３７〜３９，１０３  金種別収納部
４０  紙幣入出口部
４１，６０  紙幣入口部
６７  切換機構
８９  返却搬送路
９０，１０８  制御部
９１  記憶部
１１０  必要入金額決定手段の一部、および承認手段の一部を構成する操作部
１１１  承認手段の一部を構成する表示部
１１２  制御部（金種確認手段を含む）
【図１】
0004198210.tif 000002
【図２】
0004198210.tif 000003
【図３】
0004198210.tif 000004
【図４】
0004198210.tif 000005
【図５】
0004198210.tif 000006